(57)【要約】【課題】  場所を取らずに衛生的にお玉などの柄付き厨房具を保管することが可能で、お玉置きなどにも利用することのできる収納ケースを提供する。【解決手段】  柄付き厨房具１００の主部１１０を出し入れ可能に収容し、握り柄１２０を下方へ垂れ下げることに役立つ開口１２を備えたケース本体１の上部と下部とに、吊り部３と引掛けフック部５とを設ける。蓋体６を、ケース本体１の出入口１３としての開口の口縁にヒンジ１３を介して開閉可能に連結する。蓋体６は、倒立姿勢のケース本体１をテーブル上に定置した状態で開閉可能である。ケース本体１の下部内面を水切り面６７として形成することも可能である。【選択図】        図１
2008220991.tif 000002
【特許請求の範囲】
【請求項１】
主部に握り柄が備わっている柄付き厨房具の上記主部を出し入れ可能に収容し、かつ、上記握り柄を下方へ垂れ下げることに役立つ開口を備えたケース本体の上部と下部とに、互いに着脱可能な形状の引掛けフック部と吊り部とが振り分けて設けられていることを特徴とする柄付き厨房具の収納ケース。
【請求項２】
上記引掛けフック部と上記吊り部とを背部に備えた上記ケース本体の前部から下部に亘る部分をその残部から分割して蓋体とし、その蓋体が、ケース本体の上記残部に具備された開閉蓋形成跡としての開口の口縁にヒンジを介して開閉可能に連結されている請求項１に記載した柄付き厨房具の収納ケース。
【請求項３】
上記ケース本体は倒立姿勢で食卓などの上面に定置可能な形状に形成されていて、倒立姿勢のケース本体を上記上面に定置した状態で上記蓋体を開閉可能としてある請求項２に記載した柄付き厨房具の収納ケース。
【請求項４】
上記ケース本体の下部内面が、上記開口に向かう下がり勾配を備えた水切り面として形成されている請求項１ないし請求項３のいずれか１項に記載した柄付き厨房具の収納ケース。
【発明の詳細な説明】
【技術分野】
【０００１】
本発明は、柄付き厨房具の収納ケース、詳しくは、お玉と呼ばれる汁杓子や泡立て器のような握り柄を備えた柄付き厨房具を、衛生的に保管したりテーブルなどの上に置いたりすることのできる対策を講じた柄付き厨房具の収納ケースに関する。
【背景技術】
【０００２】
お玉などの汁杓子や泡立て器のほか、アク取り、お越し返し器、漉し器、Ｌ型タナーやバタータナーなどの厨房具を、台所の調理台前の壁面に取り付けたフックや棚に引掛けて保管することは、保管中に埃が付着したり虫や害虫が付着したりするおそれがあるために衛生上好ましいことであるとは云えず、そのために前回の使用後に洗っておいた厨房具をその使用直前に水道水で洗い直さなければならないといった煩わしさがある上、それらの厨房具を使用時にテーブルの上に直接置いてしまうと、非衛生的である上にテーブルを汚してしまう（衛生上の問題）。また、調理台前の壁面に引掛けて保管するような場合、厨房具の数や種類が多いために、それらの厨房具が調理台前の壁面に乱雑に吊り下げられてしまって雑多感を生じることもある（片づけにくさの問題）。
【０００３】
一方、従来は、まな板やお玉などの収納定位置を決めてワークトップ周辺の雑多感をなくするようにキッチン空間を演出することを意図する厨房装置が知られている（たとえば、特許文献１参照）。しかし、この特許文献１によって提案されているものは、お玉などをそのままワークトップ前に吊り下げて保管するというものであるに過ぎないため、上記した衛生上の問題や片付けにくさの問題を解決し得るものではない。
【０００４】
【特許文献１】特開平６−１２１７１６号公報
【発明の開示】
【発明が解決しようとする課題】
【０００５】
本発明は、以上の状況の下でなされたものであり、柄付き厨房具の衛生的に保管することを可能にして使用直前に水道水で洗い直すという煩わしい作業を必ずしも必要としなくなり、幾つかの厨房具を台所の調理台前の壁面にコンパクトな形に整理整頓して保管することを可能にして雑多感を生じさせないようにすることのできる柄付き厨房具の収納ケースを提供することを目的とする。
【０００６】
また、本発明は、厨房具を楽に出し入れすることのできる柄付き厨房具の収納ケースを提供することを目的とする。
【０００７】
さらに、本発明は、厨房具をテーブルのところに持っていって使用する際に、その厨房具をテーブルの上に直接に置かずに済ませることのできる柄付き厨房具の収納ケースを提供することを目的とする。
【０００８】
さらに、本発明は、厨房具を洗うことによって付着した水分を、その保管中に水切りすることのできる柄付き厨房具の収納ケースを提供することを目的とする。
【課題を解決するための手段】
【０００９】
本発明に係る柄付き厨房具の収納ケースは、主部に握り柄が備わっている柄付き厨房具の上記主部を出し入れ可能に収容し、かつ、上記握り柄を下方へ垂れ下げることに役立つ開口を備えたケース本体の上部と下部とに、互いに着脱可能な形状の引掛けフック部と吊り部とが振り分けて設けられている。
【００１０】
この構成であると、厨房具の主部を収容したケース本体の引掛けフック部又は吊り部を利用してそのケース本体を台所の調理台前の壁面などに引掛けて保管することができるために、保管中に厨房具の主部に埃や虫などが付着することがなくなって衛生的に保管することが可能になる。また、ケース本体が、互いに着脱可能な形状の引掛けフック部と吊り部とを備えていることにより、それらの引掛けフック部や吊り部を利用して幾つかのケース本体を下方へ吊り下げ、それらの各ケース本体に同一種類又は異種類の厨房具の主部をそれぞれ収容して保管することが可能になり、調理台前の壁面に幾つかの厨房具が乱雑に吊り下げられてしまって雑多感を生じるといった事態が起こりにくくなる。
【００１１】
本発明では、上記引掛けフック部と上記吊り部とを背部に備えた上記ケース本体の前部から下部に亘る部分をその残部から分割して蓋体とし、その蓋体が、ケース本体の上記残部に具備された開閉蓋形成跡としての開口の口縁にヒンジを介して開閉可能に連結されている、という構成を採用することが望ましい。これによれば、蓋体を開けることによってケース本体の開閉蓋形成跡としての開口が前面と下面とに亘って広く開放されるので、握り柄を手でつかんで主部を上にした厨房具をケース本体に対して楽に出し入れすることが可能になる。この発明において、蓋体を開ける動作は、ヒンジを中心に蓋体を上向きに持ち上げるというもの（上開き式）であっても、ヒンジを中心に蓋体を手前側に引き寄せて横向きに開くもの（横開き式）であってもよい。
【００１２】
本発明において、上記ケース本体は倒立姿勢で食卓などの上面に定置可能な形状に形成されていて、倒立姿勢のケース本体を上記上面に定置した状態で上記蓋体を開閉可能としてあることが望ましい。これによれば、厨房具を保管していた当該収納ケースを、そのケース本体に厨房具の主部を収容させたままテーブルのところに持っていってそのケース本体を倒立姿勢にしてテーブルの上面に置くことが可能になり、そのようにしてケース本体をテーブルの上面に定置すると、厨房具は、その主部がケース本体に収容されたまま握り柄がその主部の上方へ立ち上がった状態になる。そのため、蓋体を開いた後、握り柄を手で掴んで厨房具を楽に当該収納ケースから取り出して使用することが可能になる。
【００１３】
本発明では、上記ケース本体の下部内面が、上記開口に向かう下がり勾配を備えた水切り面として形成されていることが望ましい。これによれば、厨房具を洗って当該収納ケースで保管しているときに、その厨房具の主部に付着している水分がケース本体の水切り面に落ちて開口から自然に排出される。そのため、ケース本体の中に水が溜まって清潔度が低下するという事態が起こりにくい。
【発明の効果】
【００１４】
以上のように、本発明によれば、冒頭で説明した衛生上の問題が解決されて保管中の厨房具の主部に埃や虫などが付着するという状況が起こりにくくなり、そのために使用直前に洗い直すという煩わしい作業を必ずしも行う必要がなくなって、衛生的に保管することができる上、洗い直しの手間が省けるという使用者にとってきわめて有益な効果が奏される。特に、ケース本体の下部内面を水切り面として、厨房具の主部に付着している水分をケース本体の開口から自然に排出させるようにしたものでは、ケース本体がその中に溜まった水で汚れるという事態も起こらないので保管中の清潔度がいっそう向上するという利点がある。また、幾つかの厨房具を個別に収容した当該収納ケースを多段に吊り下げて調理台前の壁面などに設置することができるために、冒頭で説明した片づけにくさの問題も解決されて厨房具の保管に際して雑多感を生じさせなくすることが容易に可能になるという効果が奏される。そのほか、ケース本体の開口を広く開放して厨房具を楽に出し入れすることができるように構成することも、テーブル上での所謂お玉置きなどとして用い得るように構成することも可能であるために、使用者にとっての使い勝手も併せて向上する。
【発明を実施するための最良の形態】
【００１５】
図１は本発明の実施形態に係る柄付き厨房具の収納ケースの使用状態を示した縦断側面図、図２は同収納ケースをお玉置きとして使用した状態を示した縦断側面図、図３はお玉置きとしての他の使用状態を示した縦断側面図、図４は図１の要部の拡大縦断側面図、図５は同収納ケースの要部の分解斜視図、図６は吊り部３の取付け箇所の構造を説明するための断面図、図７は仕切り部７を説明するための部分斜視図である。
【００１６】
図１に示した収納ケースＡは、中空箱形のケース本体１と、そのケース本体１の上背部に板片状の吊り部３を備え、かつ、その下背部に引掛けフック部５を備えていることと併せて、ケース本体１の下背部には小さな開口１２が形成されている。そして、吊り部３を仮想線で示した他のフック部５１に吊り下げてある。このフック部５１は、図１に示した収納ケースＡと同じ種類の他の収納ケースに備わっている引掛けフック５であっても、台所の調理台前の壁面や棚に取り付けたフック部であってもよい。また、ケース本体１の中にお玉などの厨房具１００の主部１１０を収容すると共に、その握り柄１２０を上記開口１２を通して下方へ垂れ下げることによって、その厨房具１００の主部１１０を開口１２の口縁で掛止させてある。
【００１７】
このように厨房具１００の主部１１０を箱形のケース本体１に収容させた当該収納ケースＡを調理台前の壁面などに吊り下げておくようにすると、ケース本体１の中に室内の埃や虫、害虫などが入りにくいために、厨房具１００の主部１１０がケース本体１の中で衛生的に保たれ、その厨房具１００を使用するときにはその直前に洗い直す必要性が必ずしもない。また、ケース本体１の吊り部３を、上記したように当該収納ケースＡと同じ種類の他の収納ケースに備わっている引掛けフック部に吊り下げたり、台所の調理台前の壁面や棚に取り付けた汎用のフック部に吊り下げた当該収納ケースＡの引掛けフック部５に他の収納ケースの吊り部を引掛けて吊り下げたりしておくと、いくつかの厨房具１００を個別に衛生的に保管することが可能になるここと併せて、それらの厨房具１００を狭いスペースだけを使用して整理整頓して整然と保管しておくことができるようになる。
【００１８】
この実施形態において、ケース本体１は、ヒンジ１３を中心として上開き式に開くことのできる蓋体６を備えている。この蓋体６は、箱形のケース本体１の前部から下部に亘る部分、具体的には前板部６１とその前板部６１に略直角に連設された下板部６２とを、それらを除く残部、具体的には上板部６３、左右の側板部６４及び背板部６５から分割することによって形成され、かつ、そのような蓋体６の上端縁を、上記残部に具備された開閉蓋形成跡としての開口の口縁に上記ヒンジ１３を介して開閉可能に連結されているものと観念することができる。そして、開閉蓋形成跡としての開口を厨房具１００の主部１１０を出し入れするための出入口１５として利用することができるようになっている。
【００１９】
蓋体６が上記ように形成されていると、蓋体６を上方へ持ち上げて開けたときに、ケース本体１の前面と下面とに亘って出入口１５が広く開放されるので、使用者は、握り柄１２０を手でつかみ、主部１１０を上にした厨房具１００をケース本体１に対して楽に出し入れすることができるという利便がある。
【００２０】
図４又は図５のように、ケース本体１の下背部に形成されている開口１２は、蓋体６を形成しているケース本体１の下板部６２の端縁中央部を欠除することによって形成されていて、その開口１２の口縁に上記引掛けフック部５が連設されている。これに対し、ケース本体１の背板部６５の下縁中央部には、下方に延び出た平面視で凹形の柄囲み部１６が連設されている。そして、蓋体６を開いて出入口１５から厨房具１００の主部１１０をケース本体１に収容すると共に、その握り柄１２０を柄囲み部１６に沿わせた後、蓋体６を図５の矢印で示したように閉じる方向に押し込むことにより、その端縁（下板部６２の端縁）を背板部６５の下端部に突き合わせることと併せて柄囲み部１６の上端部に載せ掛けると、ケース本体１の出入口１５が蓋体６によって図１のように閉じられ、厨房具１００の主部１１０が開口１２の口縁に掛止されて吊り下がり状態に保持される。
【００２１】
この実施形態では、蓋体６を形成しているケース本体１の前板部６１と下板部６２との連設箇所がヒンジ６６として形成されている。このため、厨房具１００を収容している当該収納ケースＡを上下逆向きにして倒立姿勢にしたときには、図２のように、ケース本体１の上板部６３をテーブルなどの上面Ｆに置くことが可能である。そして、そのように倒立姿勢のケース本体１の上板部６３をテーブルなどの上面Ｆに定置した後、蓋体６を開いてテーブルなどの上面Ｆに拡げると、同図のように、ケース本体１に収容されていた厨房具１００が、その主部１１０を下にし、握り柄１２０がその主部１１０から立ち上がった状態となる。そのため、使用者は、握り柄１２０を手で掴んでその厨房具１００を楽に使用することが可能になる。このときには、収納ケースＡがお玉置きとして役立っている。図２では蓋体６を開いてテーブルなどの上面Ｆに拡げた状態での使用例を示しているけれども、この点は、図３のように、ヒンジ１３を折り返して前板部６１を上板部６３の下に敷いた状態でお玉置きとして使用することも可能であり、このようにすると、場所を取らずにお玉置きとして使用することができる利点がある。
【００２２】
図２で説明したような使用形態では、厨房具１００の主部１１０がケース本体１の外側へ滑り出てテーブルなどの上面Ｆを汚したり主部１１０が汚れるという事態が懸念されるけれども、この点を勘案して、この実施形態では図１、図２、図３又は図７のようにケース本体１の上板部６３に板片状の仕切り部７を設けてある。こうしておくと、図２や図３で説明したような使用形態でも、厨房具１００の主部１１０が仕切り部６３に突き当たるためにその主部１１０がケース本体１の外側へ滑り出るという状況が起こり得ない。
【００２３】
この実施形態では、吊り部３をケース本体１の上端に対して出退自在としてあり、その具体的構成は、図６のように、ケース本体１に設けたスライド空間Ｓ内で吊り部３の幅広部３１を矢印のように上下スライド自在に収容したものである。なお、図１又は図６仮想線で示したように、スライド空間Ｓには手の指で吊り部３を上下に操作することに役立つ操作窓１７が備わっている。このように吊り部３をケース本体１に対して出退自在にしておくと、図２や図３のようにケース本体１を倒立姿勢にしてテーブルなどの上面Ｆに定置するときに、その吊り部３がスライド空間Ｓに退入してケース本体１が水平に定置されることになる。
【００２４】
以上説明した実施形態に係る収納ケースＡは、樹脂を一体成形することによって製作することができるほか、板金製とすることも可能である。そして、樹脂の一体成形体とする場合には、ヒンジ１３，６６を、他の箇所よりも肉薄の樹脂ヒンジとすることが可能である。また、ヒンジ１３，６６はそのうちの一方又は両方を蝶番によって形成することも、あるいは、それらの一方又は両方を着脱可能なヒンジ、たとえば、ヒンジに軸部と凹部とを具備させ、両者を嵌合させることによって開閉機能が発揮され、かつ、両者を取り外すことによって分離することができるような構成にしておくことも可能である。
【００２５】
図７は他の実施形態の使用状態を示した縦断側面図である。この実施形態では、ケース本体１の下部内面、すなわち蓋体６として利用されている下板部６２の内面を、開口１２に向かう下がり勾配が付与された水切り面６７として形成してある。その他の構成は図１などを参照して説明したものと同様であるので、同一又は相応する部分に同一符号を付してある。この実施形態によると、厨房具１００を洗って当該収納ケースＡで保管しているときに、その厨房具１００の主部１１０に付着している水分がケース本体１の水切り面６７に落ちて開口１２から自然に排出される。そのため、ケース本体１の中に水が溜まって清潔度が低下するという事態が起こりにくい。
【００２６】
図示例には厨房具１００としてお玉を示しているけれども、厨房具としては、お玉などの汁杓子のほかに、泡立て器、アク取り、お越し返し器、漉し器、Ｌ型タナーやバタータナーなどの各種の厨房具が含まれる。そして、厨房具１００の主部１１０は、お玉では汁のすくい取り部が相当し、泡立て器では掻き混ぜに供される部分などが相当する。そして、ケース本体１は、実施形態で説明した中空直方体形に限らず、使用対象となる厨房具の主部の形状に見合う形状に形作ることが可能であって、その色も台所などの内装色に調和した着色にすることが可能である。また、ケース本体１を透明材で作っておくと、中身が外から見えるために使い勝手が向上する。
【図面の簡単な説明】
【００２７】
【図１】本発明の実施形態に係る柄付き厨房具の収納ケースの使用状態を示した縦断側面図である。
【図２】同収納ケースをお玉置きとして使用した状態を示した縦断側面図である。
【図３】お玉置きとしての他の使用状態を示した縦断側面図である。
【図４】図１の要部の拡大縦断側面図である。
【図５】同収納ケースの要部の分解斜視図である。
【図６】吊り部の取付け箇所の構造を説明するための断面図である。
【図７】仕切り部を説明するための部分斜視図である。
【図８】他の実施形態の使用状態を示した縦断側面図である。
【符号の説明】
【００２８】
Ａ  柄付き厨房具の収納ケース
１  ケース本体
３  吊り部
５  引掛けフック部
６  蓋体
１２  開口
１３  ヒンジ
６７  水切り面
１００  柄付き厨房具
１１０  主部
１２０  握り柄
【図１】
2008220991.tif 000003
【図２】
2008220991.tif 000004
【図３】
2008220991.tif 000005
【図４】
2008220991.tif 000006
【図５】
2008220991.tif 000007
【図６】
2008220991.tif 000008
【図７】
2008220991.tif 000009
【図８】
2008220991.tif 000010